(57)【要約】 【課題】洗い場洗浄ノズルを排水部の近傍に設け、少数のノズルで、配管系を複雑とすることなく、洗い場の床全面の洗浄を効果的に行うとともに、洗い場洗浄ノズルから洗浄水を排水部の排水蓋の上面に注ぎ洗浄可能とする。【解決手段】洗い場洗浄ノズル６は、水平方向において洗浄水を所定幅で吐出可能な広幅ノズルとし、この洗い場洗浄ノズル６を洗い場床面５の排水部３の近傍である浴槽４のエプロン４’の立面部７の下部に配置し、洗い場床面５の全方向に吐出可能とし、吐出された洗浄水を洗い場床面５の排水勾配上流部から排水勾配下流部に流すことで、洗い場の床面全面を洗浄し、また、洗い場洗浄ノズル６から排水蓋１５上に直接、洗浄水を吐出して注いで、排水蓋１５の上面を洗浄可能とする。【選択図】図１
2010119529.tif 000002
【特許請求の範囲】
【請求項１】
洗浄水を吐出可能なノズルを備え、洗浄水が洗い場床面に吐出される洗浄装置であって、ノズルを洗い場床面の排水部近傍に配置し、洗浄水を洗い場床面の排水勾配上流部から排水勾配下流部に流すことを特徴とする洗浄装置。
【請求項２】
請求項１に記載の洗浄装置であって、ノズルは排水部に近接する立面部の下部に取り付けられ、洗浄水の吐出方向が斜め上向きに設定されていることを特徴とする洗浄装置。
【請求項３】
請求項１または２に記載の洗浄装置であって、ノズルは水平方向において洗浄水を所定幅で吐出可能な広幅ノズルであり、ノズルの配置位置から洗い場床面の全方向に吐出可能なように設定されていることを特徴とする洗浄装置。
【請求項４】
請求項３に記載の洗浄装置であって、ノズルは複数個であることを特徴とする洗浄装置。
【発明の詳細な説明】
【技術分野】
【０００１】
本発明は、洗浄装置に関し、特に、洗浄ノズルを洗い場の排水部近傍に配置して、洗い場の排水勾配を利用して洗浄水を流す浴室の洗い場洗浄装置に関する。
【背景技術】
【０００２】
従来、浴室の洗い場の床面を洗浄する洗浄装置が知られている。例えば、浴室暖房及び洗浄装置において、ノズルを洗い場の端部に床に沿って複数配置し、湯を流出させて暖房を行い、さらに洗浄剤を出して床を自動洗浄する構成が公知である（特許文献１参照）。
【０００３】
また、浴槽と洗い場を備えた浴室の洗い場床面を洗浄する浴室洗浄装置において、吐水部を水栓より下方のカウンターの下方に、洗い場床面の略全体に向けて配置した構成が公知である（特許文献２参照）。
【０００４】
また、浴室洗浄装置において、殺菌水を吐水可能な吐水部を、水栓より下方のカウンター部に配置した構成が公知である（特許文献３、４参照）。
【０００５】
【特許文献１】実開平５−５２６２６号公報
【特許文献２】特開２００８−１６８２３０号公報
【特許文献３】特開２００８−１６８００２号公報
【特許文献４】特開２００８−１６８２３１号公報
【発明の開示】
【発明が解決しようとする課題】
【０００６】
浴室の洗い場に向けて設けた洗浄ノズルから洗浄水を吐出し、洗い場の床面を自動洗浄する洗浄装置では、床面全面に向けて洗浄水を散布し、隅々まで洗浄することが重要である。
【０００７】
そのために、多数のノズルを洗い場の複数の箇所に設ける構成としてもよいが、このような構成とすると、洗い場の隅々まで洗浄水を散布することが可能かもしれないが、洗浄水を供給する配管を洗浄ノズルを設けた複数の箇所に分岐しなくてはならないので、配管構造が複雑となる。しかしながら、少数（例えば２つ）の洗浄ノズルによって、洗い場の床全面に洗浄水を散布することは簡単ではない。
【０００８】
本発明は、上記従来の問題点を解決することを目的とするものであり、洗浄水を供給するための配管構造が複雑とならず、また少数の洗浄ノズルでも、できるだけ洗い場の床全面に洗剤液や洗浄水の散布を可能とし、この散布した洗浄水が洗い場の床面上に沿って排水口にそそぎ込む流れによって、できるだけ洗い場の床全面を洗浄しようとする洗浄装置を実現しようとするものである。
【０００９】
また、排水部に注ぎ込む洗浄水によって、洗い場の床面は洗浄できるが、排水部に注ぎ込む洗浄水は、排水部の排水蓋の周囲から回り込むように排水孔内に流入していくために、排水部の排水蓋の上面は洗浄できない。本発明は、このような問題点を解決することも課題とする。
【課題を解決するための手段】
【００１０】
本発明は上記課題を解決するために、洗浄水を吐出可能なノズルを備え、洗浄水が洗い場床面に吐出される洗浄装置であって、ノズルを洗い場床面の排水部近傍に配置し、洗浄水を洗い場床面の排水勾配上流部から排水勾配下流部に流すことを特徴とする洗浄装置を提供する。
【００１１】
ノズルは排水部に近接する立面部の下部に取り付けられ、洗浄水の吐出方向が斜め上向きに設定されていることが好ましい。
【００１２】
ノズルは水平方向において洗浄水を所定幅で吐出可能な広幅ノズルであり、ノズルの配置位置から洗い場床面の全方向に吐出可能なように設定されていることが好ましい。
【００１３】
ノズルは複数個設けた構成としてもよい。
【発明の効果】
【００１４】
本発明の洗浄装置によれば、洗い場の排水部の近傍に洗浄水を吐出可能なノズルを設け、構造が複雑になることなく、少数のノズルでもできるだけ洗い場の床全面に洗浄水を散布可能となり、この散布した洗浄水が洗い場の床面上に沿って排水口に注ぎ込む流れによって、洗い場の床全面の洗浄が可能となる。
【発明を実施するための最良の形態】
【００１５】
本発明の洗浄装置を実施するための最良の形態を実施例に基づき図面を参照して、以下説明する。
【実施例１】
【００１６】
通常、洗い場床面には、洗い場床面の全面から排水部に向けて緩やかな傾斜が形成されている。そして、排水部の位置は、洗い場の中心は入浴者にとってじゃまとなるので好ましくなく、例えば、洗い場において浴槽のエプロンの長手方向の中央部の直下等である。
【００１７】
本発明の洗浄装置１の実施例では、図１（ａ）、（ｂ）、図２（ａ）、（ｂ）及び図３（ａ）、（ｂ）に示すように、洗い場２の排水部３は、浴槽４の長手方向の略中央部であって浴槽４のエプロン４’の下部に隣接して設けられている。
【００１８】
洗い場床面５には、その全面から排水部３に向けて直線的になだらかな排水勾配α（図３（ｂ）参照）が形成されている。これによって、図１（ｂ）及び図２（ａ）の矢印に示すように、また図２（ｂ）の白抜き矢印に示すように、洗い場床面５の排水勾配上流部から排水勾配下流部に向けて、要するに排水部３に向けて水が流れる。
【００１９】
ところで、洗い場床面５を洗浄するためのノズル６（「洗い場洗浄ノズル」と言う。）は、洗い場床面５の全方向に洗浄水を散布し全面に洗浄水が注がれるために、洗い場床面５の全面からできるだけ距離的に均等な位置に設けることが好ましい（洗い場の中心は入浴者にとってじゃまとなるので当然好ましくない）。そこで、本発明の洗浄装置１では、洗い場洗浄ノズル６を、排水部３の近傍の位置に設ける構成とした。
【００２０】
本実施例では、洗い場洗浄ノズル６は排水部３の近傍、具体的には、図１（ａ）、（ｂ）及び図２（ｂ）に示すように、浴槽４のエプロン４’の長手方向の中央における立面部７の下部に取り付けられている。洗い場洗浄ノズル６は、以下に説明するが、洗い場床面５の全方向に向けて洗浄水を吐出するように構成されている。
【００２１】
洗い場洗浄ノズル６は、洗浄水を供給する洗い場洗浄水供給管８に接続され、１又は複数個設けられている。本実施例では洗い場洗浄ノズル６は、２個設けられており、それぞれ、図２（ｂ）に示すように、浴槽４を背にして洗い場床面５の左側の領域９、右側の領域１０に向けて設置されている。
【００２２】
洗い場洗浄ノズル６へ洗浄水を供給する洗い場洗浄水供給管８は、図２（ｂ）及び後述する図４に示すように設けられ、洗い場洗浄ノズル６の数に応じて洗い場洗浄ノズル６の手前で分岐されて洗い場洗浄ノズル６に接続されている。
【００２３】
洗い場洗浄ノズル６は、その配置位置から洗い場床面５の全方向に吐出可能なように設定されている。具体的には、２個の洗い場洗浄ノズル６は、それぞれ水平方向において洗浄水を所定幅で吐出可能な広幅ノズル（吐出口の横幅が縦幅に比べてより大きい寸法で形成され、「扇形ノズル」とも呼ばれている）であり、吐出方向が斜め上向きに設定されて取り付けられている。
【００２４】
これにより、２個の洗い場洗浄ノズル６は、それぞれ洗い場床面５の左側の領域９及び右側の領域１０の全方向に向けて吐出し、図１（ａ）、（ｂ）、図２（ｂ）に示すように、洗浄水はなだらかな放物線を描いて扇形に広がって放散される。
【００２５】
洗い場洗浄ノズル６からの洗浄水が、図１（ｂ）に示すように、浴室壁面１１の下部付近（洗い場床面５と浴室壁面１１との角部辺り）をめがけるような勢いで吐出されると、洗浄水が洗い場床面５の排水勾配上流部から排水勾配下流部の排水部３方向に向けて流れ、洗い場床面５の略全面に洗浄水が注がれ、洗浄することが可能となる。このような洗浄水の吐出の勢いは、後述する洗い場洗浄ノズル６に洗浄水を供給する洗浄ユニット１２において調整される。
【００２６】
本実施例では、上記のとおり洗い場床面５の左側の領域９、右側の領域１０に向けて、洗い場洗浄ノズル６を２個設けているが、必ずしもこのような構成としなくてもよい。即ち、洗い場床面５の面積が小さい場合、或いは洗い場床面５の全方向に均等に洗浄水を吐出できるようなノズルを用いる場合などであれば、洗い場洗浄ノズルの数は２個でなくても１個でもよい。また、洗い場床面５の面積が大きい場合等では、３個以上でもよい。また、洗い場洗浄ノズルは１つであるが複数の吐出口を有する構成のものでもよい。
【００２７】
なお、洗い場２の平面形状、面積の大小などの条件によっては、洗い場洗浄ノズル６は排水部３の近傍に設けなくても、洗い場２の全方向に洗浄水を吐出できるのであれば、例えば、浴槽４のエプロン４’の長手方向の一端部のような箇所に設けた構成も考えられる。洗い場洗浄水供給管８を分岐すれば、浴槽４のエプロン４’の長手方向の両端部のそれぞれに設ける構成も考えられる。
【００２８】
洗い場の排水部３は、図３（ａ）、（ｂ）に示すように、洗い場床面５の凹所１３の中央部に排水孔１４が形成され、凹所１３には排水蓋１５が嵌合されて構成されている。排水蓋１５の下面には脚部１６が設けられ、排水蓋１５と凹所１３の底面１７との間に隙間１８が形成されている。
【００２９】
排水部３は、このような構成であるから、洗浄水は、洗い場床面５の排水勾配上流部から排水勾配下流部の排水部３方向に向けて流れ、排水蓋１５の外周縁と凹所１３の内周縁との間の隙間１９から、排水蓋１５と凹所１３の底面１７との隙間１８内に流れこみ、さらに排水孔１４から浴室床下構造２０に形成された排水管２１を通して排出される。従って、排水勾配上流部から排水勾配下流部に流すだけでは、排水蓋１５の上面に散布される洗浄水が不十分となり、排水蓋１５の上面を十分洗浄することができない。
【００３０】
そこで、本発明は、洗い場洗浄ノズル６から排水蓋１５の上面に直接、洗浄水を吐出して注ぐように、洗い場洗浄ノズル６からの洗浄水の吐出の勢いを制御することができる構成とした。このように、洗浄水を排水蓋１５の上面に注ぐような勢いは、次に説明する洗い場洗浄ノズル６に洗浄水を供給する洗浄ユニット１２において調整される。
【００３１】
図４は、本発明に係る洗浄装置１において、洗い場洗浄ノズル６に洗浄水を供給するための配管系の全体構成を説明するブロック図である。この洗浄装置１では、図４に示すように、洗い場洗浄ノズル６と、浴槽４に取り付けられる浴槽洗浄ノズル２２と、洗い場洗浄ノズル６及び浴槽洗浄ノズル２２に洗浄水を供給する洗浄ユニット１２と、洗浄ユニット１２に洗剤を供給する洗剤供給部である洗剤タンク２３と、洗浄ユニット１２に湯水を供給する給湯器２４（湯水供給部）を備えている。
【００３２】
給湯器２４は、水を加熱し温水として供給する装置であり、通常は、浴槽４、水栓２５、台所等に給湯する給湯器が使用される。この給湯器２４には、水道管２６から水道水が供給され、また追い焚き用の配管２７を通して浴槽４からの温水も供給され、加熱されて浴槽用温水供給管２８から浴槽４に温水が供給される。給湯器２４は、浴室リモコン３０、台所リモコン３１等の操作によって、制御される。
【００３３】
給湯器２４から温水供給管３２を通して洗浄ユニット１２及び水栓２５に温水を供給する。浴槽洗浄ノズル２２及び洗い場洗浄ノズル６は、浴槽洗浄水供給管３３及び洗い場洗浄水供給管８を介して、三方弁３４、洗浄水供給管３５、洗浄ユニット１２のベンチュリ３６に順次接続されている。洗浄ユニット１２は、ケース内に次に説明するような各機器がユニット化して設けられている。
【００３４】
洗浄ユニット１２は、水通路部３７を有しており、この水通路部３７に、順次、フィルタ３８、水量サーボ弁３９、流量センサ４０、注湯電磁弁４１、逆止弁４２、２つの縁切り弁４３、逆止弁４４及びベンチュリ３６が配置されている。さらに、洗浄ユニット１２は、ベンチュリ３６に連通する洗剤電磁弁４５を備えている。
【００３５】
水通路部３７に設けられた各機器は、それぞれ制御装置４６に接続されており、制御装置４６によって制御される。水量サーボ弁３９は、流量調整手段として、制御装置４６からの流量調整信号を受けて温水の流量を調整する。制御装置４６は、洗浄リモコン２９で操作され、三方弁３４の開閉を制御することにより、洗浄水を、浴槽洗浄ノズル２２又は洗い場洗浄ノズル６へ切り替えへて供給する。
【００３６】
制御装置４６からの洗浄開始信号が注湯電磁弁４１に送られると注湯電磁弁４１が開き、給湯器２４から温水供給管３２を通して、洗浄ユニット１２内に温水が送られる。洗浄ユニット１２のフィルタ３８は、給湯器２４から出湯された温水を受けてろ過し、流量センサ４０が温水の瞬間的な流量（流量／時間）を計量して計量信号を制御装置４６に送信する。
【００３７】
制御装置４６は、その計量値を水量サーボ弁３９に送信し、水量サーボ弁３９はその計量値に応じて適宜、その弁の開閉度合いを制御し、洗い場洗浄ノズル６が噴射するに適した流量となるように制御する。２つの逆止弁４２、４４は洗浄水の逆流を防止し、縁切り弁４３は、負圧発生時に逆止弁４４で止水された洗浄水を水通路部３７から洗浄ユニット１２外に排出する。
【００３８】
洗剤タンク２３は、洗剤液を入れるタンクであり、洗剤液の充填状態は、フロートスイッチ４７で検知されており、充填量が少なくなったらその検知信号を制御装置４６に送信し、制御装置４６で洗剤切れ信号を発生するように構成されている。
【００３９】
（作用）
以上の構成から成る洗浄装置１において、洗浄リモコン２９によって、通常の洗い場床面５の洗浄を行うように操作すると、図４において、制御装置４６は、三方弁３４を洗い場洗浄水供給管８側に切り替えるとともに、水量サーボ弁３９を制御して、洗い場洗浄ノズル６から吐出される洗浄水の吐出水量を、浴室壁面１１の下部付近をめがけるような勢いに調整する。
【００４０】
そして、制御装置４６は、注湯電磁弁４１を開き、洗浄水を洗い場洗浄ノズル６に一定量供給する。注湯電磁弁４１が開いている間、洗剤電磁弁４５を開くように制御し、洗剤液を洗剤供給管４８を通してベンチュリに供給する。ベンチュリ３６に供給された洗剤液は、ベンチュリ３６を通過する温水に混入される。これによって、洗剤入りの洗浄水が調製されて洗い場洗浄ノズル６に供給され、洗い場洗浄ノズル６から吐出される。
【００４１】
２つの洗い場洗浄ノズル６から吐出された洗浄水は、図１（ａ）、（ｂ）及び図２（ｂ）に示すように、それぞれ浴室の左右の領域において浴室壁面１１の下部に向けて扇形状に散布され、洗い場床面５の左側の領域９及び右側の領域１０のほぼ全面で、排水勾配上流部から排水勾配下流部に向けて洗浄水が流れ、洗い場床面５のはぼ全面を洗浄する。そして、洗浄水は排水部３から排出される。
【００４２】
洗浄水は、図３（ａ）、（ｂ）に示すように、排水部３において排水蓋１５と凹所１３との隙間１９から流入し、さらに排水蓋１５と凹所１３の底面との隙間１８を通過して排水孔１４から排出する。そのため、排水蓋１５の上面は洗浄水が注ぎにくい。
【００４３】
洗浄水を排水蓋１５の上面に直接注いで洗浄する際には、洗浄リモコン２９を操作して制御装置４６により、水量サーボ弁３９を制御して、洗い場洗浄ノズル６からの洗浄水が排水蓋１５の上面をめがけるような勢いとなる吐出水量に調整する。これによって、洗浄水を排水蓋１５の上面に直接注いで洗浄することができる。この場合、洗い場洗浄ノズルを排水部の近傍に設けることで、洗い場洗浄ノズルから洗浄水を、排水部の排水蓋の上面に注ぎやすくなり、排水蓋も洗浄することができる。
【００４４】
以上、本発明に係る洗浄装置を実施するための最良の形態を実施例に基づいて説明したが、本発明はこのような実施例に限定されるものではなく、特許請求の範囲に記載された技術的事項の範囲内でいろいろな実施例があることは言うまでもない。本発明の洗浄水は、洗剤成分を含んだ洗浄水のみならず、洗剤成分を含まないすすぎ水も含んだ概念である。
【図面の簡単な説明】
【００４５】
【図１】（ａ）、（ｂ）は本発明に係る洗浄装置の実施例を説明するための斜視図及び側面図である。
【図２】（ａ）は本発明に係る洗浄装置の実施例を説明するための平面図であり、（ｂ）は洗浄水の散布及び排水の状態を説明するための洗い場の平面図を示す。
【図３】（ａ）は本発明の実施例の排水部の平面図であり、（ｂ）はそのＡ−Ａ断面図である。
【図４】本発明に係る洗浄装置の実施例であって、洗い場洗浄ノズルに洗浄水を供給するための配管系の全体構成を説明するブロック図である。
【符号の説明】
【００４６】
１   洗浄装置                              
２   洗い場                              
３   排水部                              
４   浴槽                                
４’   浴槽のエプロン                        
５   洗い場床面                            
α   排水勾配                              
６   洗い場洗浄ノズル                        
７   浴槽のエプロンの立面部              
８   洗い場洗浄水供給管                      
９   洗い場床面の左側の領域               
１０   洗い場床面の右側の領域                    
１１   浴室壁面                                 
１２  洗浄ユニット                           
１３  洗い場床面の排水部の凹所               
１４  排水孔                                 
１５  排水蓋                                 
１６  排水蓋の脚部                           
１７  凹所の底面                             
１８  排水蓋凹所の底面との間の隙間           
１９  排水蓋の周縁と凹所の内面との間の隙間   
２０  浴室床下構造                           
２１  排水管                                 
２２  浴槽洗浄ノズル                         
２３  洗剤タンク                             
２４  給湯器（湯水供給部）                   
２５  水栓                                   
２６  水道管                                 
２７  追い焚き用の配管                       
２８  浴槽用温水供給管                       
２９  洗浄リモコン                           
３０  浴室リモコン                           
３１  台所リモコン                           
３２  温水供給管                             
３３  浴槽洗浄水供給管                       
３４  三方弁                                 
３５  洗浄水供給管                             
３６  ベンチュリ                               
３７  水通路部                                 
３８  フィルタ                                 
３９  水量サーボ弁                             
４０  流量センサ                               
４１  注湯電磁弁                               
４２、４４  逆止弁                            
４３  縁切り弁                                
４５  洗剤電磁弁                              
４６  制御装置                                
４７  フロートスイッチ
４８  洗剤供給管                     
【図１】
2010119529.tif 000003
【図２】
2010119529.tif 000004
【図３】
2010119529.tif 000005
【図４】
2010119529.tif 000006